(57)【要約】【課題】互いに異なる給電点とそれぞれ接続されたアンテナと他機能を果たすアンテナとの間における無線信号の干渉対策を、共振周波数をずらすことなく施す。【解決手段】無線通信装置は、互いに異なる周波数帯の無線信号をそれぞれ送受信する複数のアンテナと、前記複数のアンテナそれぞれと個々に接続された複数の共振回路とを有する。複数の共振回路は、共通の給電点と接続されている。【選択図】図１
2011044999.tif 000002
【特許請求の範囲】
【請求項１】
互いに異なる周波数帯の無線信号をそれぞれ送受信する複数のアンテナと、
前記複数のアンテナそれぞれと個々に接続された複数の共振回路とを有し、
前記複数の共振回路は、共通の給電点と接続されている無線通信装置。
【請求項２】
請求項１に記載の無線通信装置において、
前記共通の接続点以外の給電点と接続された他機能アンテナを有し、
前記共振回路は、前記他機能アンテナが送受信する無線信号の周波数帯において開放状態と等価となるようにあらかじめ設定されている無線通信装置。
【請求項３】
請求項２に記載の無線通信装置において、
前記共振回路は、
互いに並列に接続された第１コンデンサおよびコイルと、該第１コンデンサと該コイルとに直列に接続された第２コンデンサとを有し、
当該共振回路が接続されたアンテナが送受信する無線信号の周波数帯における当該共振回路のインピーダンスはゼロとなるようにあらかじめ設定されており、前記複数のアンテナのうち当該共振回路以外の共振回路と接続されたアンテナが送受信する無線信号の周波数帯における当該共振回路のインピーダンスは前記コイルが有するインダクタンス成分となるようにあらかじめ設定されていることを特徴とする無線通信装置。
【請求項４】
請求項２に記載の無線通信装置において、
前記共振回路は、互いに並列に接続されたコンデンサとコイルとを有し、
前記複数のアンテナのうち当該共振回路以外の共振回路と接続されたアンテナが送受信する無線信号の周波数帯における当該共振回路のインピーダンスは、前記コイルが有するインダクタンス成分となるようにあらかじめ設定されていることを特徴とする無線通信装置。
【発明の詳細な説明】
【技術分野】
【０００１】
本発明は、無線通信装置に関する。
【背景技術】
【０００２】
近年、携帯電話機に代表される無線通信装置の多機能化に伴い、携帯電話にて通話やパケット通信で用いられる無線通信機能に加えて、ＧＰＳ（Global Positioning System）、Ｂｌｕｅｔｏｏｔｈ（登録商標）、ＷＬＡＮ（無線ＬＡＮ（Local Area Network））などの他の無線通信機能が搭載された無線通信装置が普及している。
【０００３】
このような複数の無線通信機能を実現するため、互いに異なる複数の周波数をそれぞれ送受信する複数のアンテナを有する無線通信装置が考えられている（例えば、特許文献１参照。）。
【０００４】
以下に、複数のアンテナを有する無線通信装置の構成の第１の形態について、図１４を参照して説明する。
【０００５】
図１４に示すように、この無線通信装置３００には、複数のアンテナとして、２ＧＨｚ帯のアンテナ３５１と８００ＭＨｚ帯のアンテナ３５２とが設けられている。また、無線通信装置３００は、アンテナ３５１、３５２、給電点３２１などを接地するための接地パターン３１１が形成されたプリント基板３１０を有している。給電点３２１の負極端子は接地パターン３１１と接続され、給電点３２１の正極端子はインピーダンス整合回路３３０と接続されている。
【０００６】
インピーダンス整合回路３３０は、ピン３４１により接続されたアンテナ３５１とピン３４２により接続されたアンテナ３５２とのそれぞれと、給電点３２１の正極端子との間でインピーダンスを整合させるための回路である。
【０００７】
つぎに、図１４に示したアンテナ３５１、３５２のアンテナ特性のうち重要な特性であるインピーダンス特性とリターンロス特性とについて、図１５、図１６を参照して説明する。なお、図１５に示すインピーダンス特性および図１６に示すリターンロス特性の両方は、給電点３２１からアンテナ部３５０側を見たときのインピーダンスをネットワークアナライザ（図示せず）で測定したときの特性である。
【０００８】
ここで、インピーダンス特性とは、高周波数帯におけるアンテナの動作特性を表すものであり、複素反射係数をスミスチャートに描画することによって示される。なお、スミスチャート上で複素反射係数の実数部が「１」であり虚数部が「０」である点（以下、「点Ａ」という）は、アンテナのインピーダンスがこのアンテナで送受信した電波の電力が伝送される伝送路の特性インピーダンス（５０Ω）と一致する点に相当する。そして、アンテナのインピーダンスが点Ａに近い程、アンテナとしての特性は良好であり、かつアンテナが接続されている無線回路（図示せず）に対するインピーダンス整合も良好となる。図１５に示した例では、アンテナ３５１が動作する２ＧＨｚ帯におけるインピーダンスを示す点２Ｇ−１およびアンテナ３５２が動作する８００ＭＨｚ帯におけるインピーダンスを示す点８００Ｍ−１それぞれは、点Ａの近傍に位置するため、インピーダンス整合は良好である。
【０００９】
また、図１６に示したようなリターンロスが極小値を示す谷の部分では、アンテナ３５１または３５２が共振して当該アンテナの特性が良好となり、かつアンテナ３５１または３５２が送受信した電波を処理する無線回路（図示せず）と当該アンテナとの整合も良好となる。
【００１０】
一般的に、携帯電話機では、アンテナの特性から考えてリターンロスを−５ｄＢ以下に抑えないと、携帯電話機能による通信に支障をきたす。そのため、所望の周波数帯におけるアンテナのリターンロスが−５ｄＢ以下であることが、携帯電話機能による良好な通信を実現するためのアンテナ特性に対する条件として考えられる。
【００１１】
無線通信装置３００の例では、図１６に示したように、８００ＭＨｚ帯と２ＧＨｚ帯との各周波数帯において、アンテナ３５１、３５２それぞれのリターンロスが−５ｄＢ以下であるため、携帯電話機能を実現するための良好なアンテナ特性を確保できている。
【００１２】
つぎに、複数のアンテナを有する無線通信装置の構成の第２の形態として、携帯電話用の無線通信機能を実現するための２つのアンテナに加えて、携帯電話以外の他の無線通信機能を実現するためのアンテナをさらに有する無線通信装置の構成について、図１７を参照して説明する。
【００１３】
図１７に示すように、無線通信装置４００は、第２給電点４２２と、第２インピーダンス整合回路４３２と、ピン４４３と、２．４ＧＨｚ帯のアンテナ４５３とを有する点で、図１３に示した無線通信装置３００と異なっている。以下では、８００ＭＨｚ帯および２ＧＨｚ帯が携帯電話用の周波数帯であり、新たに追加したアンテナ４５３の周波数帯（２．４ＧＨｚ帯）がＢｌｕｅｔｏｏｔｈ（登録商標）用の周波数帯である場合を例に挙げて説明する。
【００１４】
アンテナ４５１、４５２と、アンテナ４５３とは、互いに異なる無線通信機能である携帯電話機能とＢｌｕｅｔｏｏｔｈ（登録商標）機能とを実現するために、それぞれ独立して動作する。そのため、共通の給電点を用いて携帯電話用のアンテナ４５１、４５２とＢｌｕｅｔｏｏｔｈ（登録商標）用のアンテナ４５３との両方に、電波を送信するための送信電力を供給することは困難であり、アンテナ４５１、４５２に送信電力を供給する第１給電点４２１と、アンテナ４５３に送信電力を供給する第２給電点４２２とを個々に設けることが必要となる。
【００１５】
ここで、アンテナ４５２とアンテナ４５３との間の干渉対策について考える。干渉対策の１つとして、干渉を軽減するための共振回路を用いて、アンテナ４５３が電波を受信する２．４ＧＨｚ帯において、８００ＭＨｚ帯のアンテナ４５２が第１給電点４２１付近で開放（open）状態となるように終端する方法がある。
【００１６】
以下に、この方法を実現した無線通信装置５００について、図１８を参照して説明する。この無線通信装置５００は、第１給電点５２１とアンテナ５５１、５５２との間に設けられた図１８に示す共振回路５６０を有する点で、図１７に示した無線通信装置４００と異なっている。
【００１７】
図１９に示すように、この共振回路５６０には、コンデンサ５６１とコイル５６２とが互いに並列に接続された並列共振回路ＰＲと、この並列共振回路ＰＲと直列に接続されたコンデンサ５６３とが設けられている。
【００１８】
コンデンサ５６１、５６３のキャパシタンスおよびコイル５６２のインダクタンスは、８００ＭＨｚ帯で共振回路５６０が直列共振し、かつ２．４ＧＨｚ帯で共振回路５６０が並列共振する数値である。直列共振した場合、図２０に示す点Ｐ３００のように共振回路５６０のインピーダンスが０Ωである状態、すなわち共振回路５６０が短絡（short）状態と等価な状態となる。そのため、給電点５２１からアンテナ部５５０側を見たときのインピーダンスは、アンテナ５５２が有するインピーダンスと同じとなる。
【００１９】
また、並列共振した場合、図２０に示す点Ｐ１００のように共振回路５６０のインピーダンスが「∞」である状態、すなわち共振回路５６０が開放状態と等価な状態になる。
【００２０】
そのため、２．４ＧＨｚ帯では第１給電点５２１からアンテナ部５５０側を見た場合、アンテナ５５２は第１給電点５２１から切り離された状態となり、アンテナ５５２で受信した電波がアンテナ５５３で受信した電波に対して及ぼす影響が大幅に軽減される。
【００２１】
しかし、アンテナ５５２とアンテナ５５１とは、共振回路５６０に共通して接続されている。そのため、２．４ＧＨｚ帯と近い周波数帯であってアンテナ５５１が動作する２ＧＨｚ帯においては、共振回路５６０のインピーダンスは、０Ωとはならずにコイル５６２が有するインダクタンス成分（図２０の例では、１０ｎＨ）と等価となる。
【００２２】
すると、このアンテナ５５１の電気長は大幅に長くなり、特性が悪化してしまう。なお、「電気長」とは、アンテナで最も大切な電気的な長さのことを指し、アンテナ自体の物理的な長さに応じて定まる。ここで、この電気長を短くするには、コンデンサ５６１、５６３のキャパシタンスを変更することによりある程度の調整が可能である。
【先行技術文献】
【特許文献】
【００２３】
【特許文献１】特開２００５−２４４５５３号公報
【発明の概要】
【発明が解決しようとする課題】
【００２４】
上述したような共振回路５６０が設けられた無線通信装置５００におけるインピーダンス特性およびリターンロス特性を、図２１、図２２にそれぞれ示す。
【００２５】
図２２に示すように、８００ＭＨｚ帯においては、共振回路５６０を挿入した場合の共振周波数と共振回路５６０を挿入していない場合の共振周波数との間のずれは、ほとんど発生していない。
【００２６】
しかし、２ＧＨｚ帯においては、共振回路５６０を挿入した場合の共振周波数は、共振回路５６０を挿入していない場合の共振周波数から大幅にずれてしまう。そのため、２ＧＨｚ帯で動作するアンテナ５５１に対して良好なアンテナ特性を確保することができなくなってしまう。なお、図２１に示した点２Ｇ−２は点Ａから大きく外れていることから、共振回路５６０を挿入した場合、アンテナ５５１のインピーダンス整合も悪化する。
【００２７】
つまり、図１８に示した無線通信装置５００においては、共振回路５６０が、同じ第１給電点５２１から送信電力が供給される複数のアンテナでそれぞれが送受信する電波間で生じる干渉を回避することが困難となってしまうという問題点がある。
【００２８】
本発明は、上述した課題を解決する無線通信装置を提供することを目的とする。
【課題を解決するための手段】
【００２９】
上記課題を解決するために、本発明の無線通信装置は、互いに異なる周波数帯の無線信号をそれぞれ送受信する複数のアンテナと、前記複数のアンテナそれぞれと個々に接続された複数の共振回路とを有し、前記複数の共振回路は、共通の給電点と接続されている。
【発明の効果】
【００３０】
本発明によれば、互いに異なる給電点とそれぞれ接続されたアンテナと他機能を果たすアンテナとの間における無線信号の干渉対策を、共振周波数をずらすことなく施すことができる。
【図面の簡単な説明】
【００３１】
【図１】本発明の実施形態１に従った無線通信装置の構成を示す図である。
【図２】図１に示した第２共振回路の構成を示す図である。
【図３】図１に示した第２共振回路のインピーダンス特性を示す図である。
【図４】図１に示した第１共振回路の構成を示す図である。
【図５】図１に示した第１共振回路のインピーダンス特性を示す図である。
【図６】実施形態１の無線通信装置のインピーダンス特性を示す図である。
【図７】実施形態１の無線通信装置のリターンロス特性を示す図である。
【図８】折畳み式の携帯電話機を開いた状態で背面から見たときの外観を示す図である。
【図９】８００ＭＨｚ帯、２ＧＨｚ帯の２つのアンテナを実装した一例と、８００ＭＨｚ帯、２ＧＨｚ帯、２．４ＧＨｚ帯の３つのアンテナを実装した第１の配置例と、８００ＭＨｚ帯、２ＧＨｚ帯、２．４ＧＨｚ帯の３つのアンテナを実装した第２の配置例とを示す図である。
【図１０】実施形態２の第２共振回路の構成を示す図である。
【図１１】図１０に示した第２共振回路のインピーダンス特性を示す図である。
【図１２】実施形態２の無線通信装置のインピーダンス特性を示す図である。
【図１３】実施形態２の無線通信装置のリターンロス特性を示す図である。
【図１４】複数のアンテナを有する無線通信装置の構成の第１の形態を示す図である。
【図１５】図１４に示した無線通信装置のインピーダンス特性を示す図である。
【図１６】図１４に示した無線通信装置のリターンロス特性を示す図である。
【図１７】複数のアンテナを有する無線通信装置の構成の第２の形態を示す図である。
【図１８】複数のアンテナを有する無線通信装置の構成の第３の形態を示す図である。
【図１９】図１８に示した共振回路の構成の一例を示す図である。
【図２０】図１９に示した共振回路のインピーダンス特性を示す図である。
【図２１】図１８に示した無線通信装置のインピーダンス特性を示す図である。
【図２２】図１８に示した無線通信装置のリターンロス特性を示す図である。
【発明を実施するための形態】
【００３２】
（実施形態１）
以下、本発明の実施形態１に従った無線通信装置を説明する。
【００３３】
図１に示すように、実施形態１の無線通信装置１には、プリント基板１１と、アンテナ部１７およびアンテナ１７３とが設けられている。
【００３４】
このアンテナ部１７は、互いに異なる複数の周波数帯でそれぞれ無線信号（電波）を送受信する「複数のアンテナ」として、第１アンテナ１７１と、第２アンテナ１７２とを有する。この説明例では、これらのうちで長さが短いアンテナが第１アンテナ１７１であり、これらのうちで長さが長くかつメアンダ構造のアンテナが第２アンテナ１７２である。
【００３５】
第１アンテナ１７１は、第１の周波数帯において電波を送受信するアンテナである。また、第１アンテナ１７１は、ピン１６１を介してプリント基板１１と接続されている。
【００３６】
第２アンテナ１７２は、第２の周波数帯において電波を送受信するアンテナである。また、第２アンテナ１７２は、ピン１６２を介してプリント基板１１と接続されている。
【００３７】
本実施形態では、第１の周波数帯が２ＧＨｚ帯であり、第２の周波数帯が８００ＭＨｚ帯であり、かつ第１の周波数帯および第２の周波数帯が携帯電話機能に用いられる通信帯域である場合を例に挙げて説明する。
【００３８】
また、アンテナ１７３は、第１の周波数帯および第２の周波数帯以外の任意の周波数帯において電波を送受信する「他機能アンテナ」である。また、アンテナ１７３は、ピン１６３を介してプリント基板１１と接続されている。
【００３９】
本実施形態では、アンテナ１７３が動作する周波数帯が２．４ＧＨｚ帯であり、かつ当該周波数帯がＢｌｕｅｔｏｏｔｈ（登録商標）機能に用いられる通信帯域である場合を例に挙げて説明する。
【００４０】
プリント基板１１上には、接地パターン１１１と、第１給電点１２１と、第２給電点１２２と、共通インピーダンス整合回路１３と、インピーダンス整合回路１４と、第１共振回路１５１と、第２共振回路１５２と、ピン１６１、１６２、１６３とが設けられている。
【００４１】
接地パターン１１１は、第１アンテナ１７１、第２アンテナ１７２、アンテナ１７３、第１給電点１２１、第２給電点１２２などを接地するために用いられる。
【００４２】
第１給電点１２１は、「共通の給電点」である。第１給電点１２１の負極端子は接地パターン１１１と接続されており、第１給電点１２１の正極端子は共通インピーダンス整合回路１３と接続されている。
【００４３】
また、第２給電点１２２の負極端子は接地パターン１１１と接続されており、第２給電点１２２の正極端子はインピーダンス整合回路１４と接続されている。なお、インピーダンス整合回路１４は、アンテナ１７３と第２給電点１２２の正極端子との間のインピーダンスを整合させる役割を果たす。
【００４４】
また、共通インピーダンス整合回路１３は、第１アンテナ１７１と第１給電点１２１の正極側との間でインピーダンスを整合させるとともに、第２アンテナ１７２と第１給電点１２１の正極側との間でインピーダンスを整合させる役割を果たす。この共通インピーダンス整合回路１３は、集中定数素子（コンデンサ、コイル、抵抗）やプリント基板１１上に形成されたマイクロストリップラインで構成される。
【００４５】
また、共通インピーダンス整合回路１３は、第１共振回路１５１および第２共振回路１５２と接続されている。
【００４６】
第１共振回路１５１は、第１アンテナ１７１に対応して設けられた共振回路である。第１共振回路１５１は、ピン１６１を介して、第１アンテナ１７１と接続されている。
【００４７】
また、第２共振回路１５２は、第２アンテナ１７２に対応して設けられた共振回路である。第２共振回路１５２は、ピン１６２を介して、第２アンテナ１７２と接続されている。
【００４８】
つぎに、実施形態１における第２共振回路１５２の構成について、図２を参照して説明する。
【００４９】
図２に示すように、第２共振回路１５２には、第１コンデンサ１８１−２とコイル１８３−２とが互いに並列に接続された並列共振回路１８０−２と、この並列共振回路１８０−２と直列に接続された第２コンデンサ１８２−２とが設けられている。
【００５０】
第１コンデンサ１８１−２、第２コンデンサ１８２−２のキャパシタンスおよびコイル１８３−２のインダクタンスは、８００ＭＨｚ帯で第２共振回路１５２が直列共振し、かつ２．４ＧＨｚ帯で第２共振回路１５２が並列共振する数値である。直列共振した場合、図３に示す点Ｐ２のように第２共振回路１５２のインピーダンスが０Ωである状態、すなわち第２共振回路１５２が短絡状態と等価な状態となる。
【００５１】
そのため、８００ＭＨｚ帯においては、第１給電点１２１から第２アンテナ１７２を見たときのインピーダンスは、第２アンテナ１７２が有するインピーダンスと同じである。
【００５２】
また、並列共振した場合、図３に示す点Ｐ１のように第２共振回路１５２のインピーダンスが「∞」である状態、すなわち第２共振回路１５２が開放状態と等価な状態になる。
【００５３】
そのため、２．４ＧＨｚ帯においては、第１給電点１２１から第１アンテナ１７１側を見た場合、第２アンテナ１７２は第１給電点１２１から切り離された状態となる。
【００５４】
つぎに、実施形態１における第１共振回路１５１の構成について、図４を参照して説明する。
【００５５】
図４に示すように、第１共振回路１５１には、第１コンデンサ１８１−１とコイル１８３−１とが互いに並列に接続された並列共振回路１８０−１と、この並列共振回路１８０−１と直列に接続された第２コンデンサ１８２−１とが設けられている。第１コンデンサ１８１−１、第２コンデンサ１８２−１のキャパシタンスおよびコイル１８３−１のインダクタンスは、２ＧＨｚ帯で第１共振回路１５１が直列共振し、かつ２．４ＧＨｚ帯で第１共振回路１５１が並列共振する数値である。
【００５６】
つまり、図５に示す点Ｐ３のように２．４ＧＨｚ帯にて第１共振回路１５１のインピーダンスが「∞」である状態となり、点Ｐ４のように２ＧＨｚ帯にて第１共振回路１５１のインピーダンスが０Ωである状態となる。
【００５７】
これにより、第２アンテナ１７２およびアンテナ１７３がそれぞれ受信した電波に対する第１アンテナ１７１が受信した電波の干渉を回避することが可能である。
【００５８】
つぎに、上記構成を有する無線通信装置１における、第１アンテナ１７１および第２アンテナ１７２のインピーダンス特性とリターンロス特性とについて、図６、図７を参照して説明する。
【００５９】
図７に示すように、無線通信装置１においては、第２アンテナ１７２に対応して設けられた第２共振回路１５２により、第２アンテナ１７２で受信した電波の第１アンテナ１７１で受信した電波に対する干渉が回避される。そのため、第１アンテナ１７１の共振周波数がずれることなく、２ＧＨｚ帯の携帯電話機能を実現するための良好なリターンロス特性（つまり、２ＧＨｚ帯でのリターンロスが−５ｄＢ以下）を確保できている。
【００６０】
なお、第２共振回路１５２が並列共振を起こすことにより、第２アンテナ１７２は、アンテナ１７３が動作する２．４ＧＨｚ帯にて開放状態と等価となる。そのため、第２アンテナ１７２が受信した電波が、アンテナ１７３が受信した電波に対して及ぼす干渉を大幅に軽減することができる。
【００６１】
また、第１アンテナ１７１に対応して設けられた第１共振回路１５１により、第１アンテナ１７１で受信した電波の第２アンテナ１７２で受信した電波に対する干渉が回避される。そのため、第２アンテナ１７２の共振周波数がずれることなく、８００ＭＨｚ帯の携帯電話機能を実現するための良好なリターンロス特性を確保できている。
【００６２】
なお、第１共振回路１５１が並列共振を起こすことにより、第１アンテナ１７１は、アンテナ１７３が動作する２．４ＧＨｚ帯にて開放状態と等価となる。そのため、第１アンテナ１７１が受信した電波が、アンテナ１７３が受信した電波に対して及ぼす干渉を大幅に軽減することができる。
【００６３】
さらに、図６に示すように、８００ＭＨｚ帯におけるインピーダンスを示す点８００Ｍ−３および２ＧＨｚ帯におけるインピーダンスを示す点２Ｇ−３は、点Ａの近傍にそれぞれ位置している。そのため、第１アンテナ１７１、第２アンテナ１７２それぞれのインピーダンス整合は良好である。
【００６４】
以上説明したように、本発明の実施形態１によれば、第１給電点１２１と第１アンテナ１７１または第２アンテナ１７２との間の配線が分岐された位置に、第１アンテナ１７１、第２アンテナ１７２に個々に対応する第１共振回路１５１、第２共振回路１５２がそれぞれ設けられている。
【００６５】
これにより、互いに異なる給電点とそれぞれ接続されたアンテナと他機能を果たすアンテナとの間における無線信号の干渉対策を、共振周波数をずらすことなく施すことができる。
（実施形態２）
つぎに、実施形態２の無線通信装置について説明する。
【００６６】
実施形態２では、第１給電点１２１から送信電力が供給される複数のアンテナ間における干渉対策に加えて、複数のアンテナそれぞれの電気長の調整も行う。
【００６７】
以下では、２．４ＧＨｚ帯のアンテナ１７３を追加して配置するために、８００ＭＨｚ帯の第２アンテナ１７２の物理的な長さを短くしなければならないという場合を例に挙げて説明する。
【００６８】
つまり、この説明例では、第２アンテナ１７２の物理的な長さを短くすることに応じて第２アンテナ１７２の電気長を長くするよう調整するとともに、アンテナ１７３が動作する２．４ＧＨｚ帯に対する第２アンテナ１７２の影響も軽減する。
【００６９】
以下では、本発明の無線通信装置１は、図８に示す折畳み可能な携帯電話機２０であり、携帯電話機２０におけるアンテナ実装位置２４である場合を例に挙げて説明する。
【００７０】
携帯電話機２０には、多機能化とともに小型化が要求される。そのため、図９に示す配置例のように、携帯電話通信用の第１アンテナ１７１、第２アンテナ１７２は、非常に狭い空間に設けられたアンテナ実装位置２４のうちに収容せざるを得ない。
【００７１】
さらに、携帯電話機２０がＢｌｕｅｔｏｏｔｈ（登録商標）機能を有する場合、図９に示す第１の配置例のように、第１アンテナ１７１、第２アンテナ１７２に加えて、Ｂｌｕｅｔｏｏｔｈ（登録商標）機能用の２．４ＧＨｚ帯のアンテナ１７３をアンテナ実装位置２４のうちに収容する必要がある。
【００７２】
第１の配置例では、３つのアンテナ１７１、１７２、１７３を物理的にアンテナ実装位置２４に配置したものの、アンテナ１７３で電波を良好に受信することは困難である。これは、アンテナ１７３の先端がプリント基板１１の接地パターン１１１に近づくと、当該アンテナ１７３の特性が悪化してしまうためである。
【００７３】
なお、第１の配置例では、第１アンテナ１７１、第２アンテナ１７２それぞれの先端は、アンテナ実装位置２４のうちのプリント基板１１からできる限り離れた位置に配置されている。
【００７４】
しかし、アンテナ１７３は、ダイポールアンテナを模した逆Ｌ字形状に形成されているため、アンテナ１７３の活線側（ＨＯＴ）と接地端子（ＧＮＤ）との距離が近くなるに伴って、アンテナ特性の悪化を招いてしまう。
【００７５】
そのため、図９に示す第２の配置例のように、アンテナ１７３も、その先端をプリント基板１１から可能な限り離れた位置に配置することが望ましい。
【００７６】
なお、第２の配置例では、第２アンテナ１７２の物理的な長さを短くすることにより、アンテナ１７３の先端は、第１アンテナ１７１、第２アンテナ１７２の先端とプリント基板１１との間の距離と同じ距離だけプリント基板１１から離れた位置に配置されている。
【００７７】
しかし、第２アンテナ１７２の物理的な長さを短くしたため、第２アンテナ１７２の電気長は長くなるように調整する必要がある。また、アンテナ１７３で受信した電波に対する第２アンテナ１７２が受信した電波の干渉を軽減する必要もある。
【００７８】
これらを実現するために、実施形態２の無線通信装置が有する第２共振回路１５２は、図１０に示すように、互いに並列に接続されたコンデンサ１９１−２およびコイル１９２−２を有している。なお、実施形態２の第１共振回路１５１は、互いに並列に接続されたコンデンサ１９１−１（図示せず）およびコイル１９２−１（図示せず）を有している。
【００７９】
第２共振回路１５２が有するコンデンサ１９１−２のキャパシタンスおよびコイル１９２−２のインダクタンスは、２．４ＧＨｚ帯で第２共振回路１５２が並列共振する数値である。並列共振した場合、図１１に示す点Ｐ５のように、２．４ＧＨｚ帯にて第２共振回路１５２のインピーダンスは∞となる。
【００８０】
また、８００ＭＨｚ帯においては、図１１に示す点Ｐ６のように、第２共振回路１５２のインピーダンスが所定値（例えば、１０ｎＨ程度）となるように、コンデンサ１９１−２のキャパシタンスおよびコイル１９２−２のインダクタンスをあらかじめ選択しておく。
【００８１】
つまり、８００ＭＨｚ帯にてコイル１９２−２と等価な構成を有するようにコンデンサ１９１−２のキャパシタンスおよびコイル１９２−２のインダクタンスの数値をあらかじめ設定しておくことにより、物理的な長さが短くなったことに伴って減少した第２アンテナ１７２の電気長が長くなるように補うことが可能となる。
【００８２】
なお、実施形態２の無線通信装置１（この例では、携帯電話機２０）のインピーダンス特性とリターンロス特性とを、図１２、図１３にそれぞれ示す。
【００８３】
図１３に示すように、第２アンテナ１７２が動作する８００ＭＨｚ帯および第１アンテナ１７１が動作する２ＧＨｚ帯の両方において、良好なリターンロス特性をそれぞれ確保することができている。
【００８４】
なお、図１２に示すように、８００ＭＨｚ帯におけるインピーダンスを示す点８００Ｍ−４および２ＧＨｚ帯におけるインピーダンスを示す点２Ｇ−４は、点Ａの近傍にそれぞれ位置している。そのため、第１アンテナ１７１、第２アンテナ１７２それぞれのインピーダンス整合も良好となる。
【００８５】
以上説明したように、実施形態２の無線通信装置１によれば、実施形態１と同様に同じ給電点から送信電力が供給される複数のアンテナで受信した電波間の干渉を回避しつつ、アンテナの物理的な長さの短縮に伴って当該アンテナの電気長が短くなった場合でも、その電気長を調整することができる。
【００８６】
以上、実施形態を参照して本発明を説明したが、本発明は上記実施形態に限定されるものではない。本発明の構成や詳細には、本発明の要旨を逸脱しない範囲で当業者が理解し得る各種の変形が可能である。
【符号の説明】
【００８７】
１  無線通信装置
１１  プリント基板
１１１  接地パターン
１２１  第１給電点
１２２  第２給電点
１３  共通インピーダンス整合回路
１４  インピーダンス整合回路
１５１  第１共振回路
１５２  第２共振回路
１６１、１６２、１６３  ピン
１７  アンテナ部
１７１  第１アンテナ
１７２  第２アンテナ
１７３  アンテナ
１８０−１、１８０−２  並列共振回路
１８１−１、１８１−２  第１コンデンサ
１８２−１、１８２−２  第２コンデンサ
１８３−１、１８３−２、１９２−２  コイル
１９１−２  コンデンサ
【図１】
2011044999.tif 000003
【図２】
2011044999.tif 000004
【図３】
2011044999.tif 000005
【図４】
2011044999.tif 000006
【図５】
2011044999.tif 000007
【図６】
2011044999.tif 000008
【図７】
2011044999.tif 000009
【図８】
2011044999.tif 000010
【図９】
2011044999.tif 000011
【図１０】
2011044999.tif 000012
【図１１】
2011044999.tif 000013
【図１２】
2011044999.tif 000014
【図１３】
2011044999.tif 000015
【図１４】
2011044999.tif 000016
【図１５】
2011044999.tif 000017
【図１６】
2011044999.tif 000018
【図１７】
2011044999.tif 000019
【図１８】
2011044999.tif 000020
【図１９】
2011044999.tif 000021
【図２０】
2011044999.tif 000022
【図２１】
2011044999.tif 000023
【図２２】
2011044999.tif 000024